【手続補正書】
【提出日】平成22年2月8日(2010.2.8)
【手続補正１】
【補正対象書類名】明細書
【補正対象項目名】特許請求の範囲
【補正方法】変更
【補正の内容】
【特許請求の範囲】
【請求項１】  照射手段により被写体に照射された放射線の撮影を制御する撮影制御装置であって、
上記照射手段の照射ディレイ時間、及び上記照射手段により被写体に照射された放射線を撮影する撮影手段の初期化時間に基づいて、上記照射手段に対する放射線の照射タイミングを制御する制御手段を備えることを特徴とする撮影制御装置。
【請求項２】  上記制御手段は、上記照射手段の照射ディレイ時間、及び上記撮影手段の初期化時間の何れか長い時間を、ユーザの撮影要求を認識してから上記照射手段によって放射線の照射を実行するまでのディレイ時間とすることを特徴とする請求項１記載の撮影制御装置。
【請求項３】  照射手段により被写体に照射された放射線の撮影を制御する撮影制御装置であって、
上記照射手段の照射ディレイ時間、及び上記照射手段により被写体に照射された放射線を撮影する撮影手段が有するグリッドの移動初期化時間に基づいて、上記照射手段に対する放射線の照射タイミングを制御する制御手段を備えることを特徴とする撮影制御装置。
【請求項４】  上記制御手段は、上記照射手段の照射ディレイ時間、及び上記グリッドの移動初期化時間の何れか長い時間を、ユーザの撮影要求を認識してから上記照射手段によって放射線の照射を実行するまでのディレイ時間とすることを特徴とする請求項３記載の撮影制御装置。
【請求項５】  照射手段により被写体に照射された放射線の撮影を制御する撮影制御装置であって、
上記照射手段の照射ディレイ時間、上記照射手段により被写体に照射された放射線を撮影する撮影手段の初期化時間、及び上記撮影手段が有するグリッドの移動初期化時間に基づいて、上記照射手段に対する放射線の照射タイミングを制御する制御手段を備えることを特徴とする撮影制御装置。
【請求項６】  上記制御手段は、上記照射手段の照射ディレイ時間、上記撮影手段の初期化時間、及び上記グリッドの移動初期化時間の何れか長い時間を、ユーザの撮影要求を認識してから上記照射手段によって放射線の照射を実行するまでのディレイ時間とすることを特徴とする請求項５記載の撮影制御装置。
【請求項７】  上記制御手段は、上記グリッドの移動初期化時間を、上記照射手段によって照射される放射線の照射時間に基づき決定することを特徴とする請求項３又は５記載の撮影制御装置。
【請求項８】  照射手段により被写体に照射された放射線の撮影を制御する撮影制御装置の撮影制御方法であって、
制御手段が、上記照射手段の照射ディレイ時間を取得するステップと、
制御手段が、上記照射手段により被写体に照射された放射線を撮影する撮影手段の初期化時間を取得するステップと、
制御手段が、上記照射ディレイ時間と、上記撮影手段の初期化時間とに基づいて、上記照射手段に対する放射線の照射タイミングを制御する制御ステップと、
を含むことを特徴とする撮影制御方法。
【請求項９】  上記制御ステップにおいて、上記制御手段は、上記照射手段の照射ディレイ時間と、上記照射手段により被写体に照射された放射線を撮影する撮影手段の初期化時間との何れか長い時間を、ユーザの撮影要求を認識してから上記照射手段によって放射線の照射を実行するまでのディレイ時間とすることを特徴とする請求項８記載の撮影制御方法。
【請求項１０】  照射手段により被写体に照射された放射線の撮影を制御する撮影制御装置の撮影制御方法であって、
制御手段が、上記照射手段の照射ディレイ時間を取得するステップと、
制御手段が、上記照射手段により被写体に照射された放射線を撮影する撮影手段が有するグリッドの移動初期化時間を取得するステップと、
制御手段が、上記照射ディレイ時間と、上記グリッドの移動初期化時間とに基づいて、上記照射手段に対する放射線の照射タイミングを制御する制御ステップと、
を含むことを特徴とする撮影制御方法。
【請求項１１】  上記制御ステップにおいて、上記制御手段は、上記照射手段の照射ディレイ時間と、上記グリッドの移動初期化時間との何れか長い時間を、ユーザの撮影要求を認識してから上記照射手段によって放射線の照射を実行するまでのディレイ時間とすることを特徴とする請求項１０記載の撮影制御方法。
【請求項１２】  照射手段により被写体に照射された放射線の撮影を制御する撮影制御装置の撮影制御方法であって、
制御手段が、上記照射手段の照射ディレイ時間を取得するステップと、
制御手段が、上記照射手段により被写体に照射された放射線を撮影する撮影手段の初期化時間を取得するステップと、
制御手段が、上記撮影手段が有するグリッドの移動初期化時間を取得するステップと、
制御手段が、上記照射ディレイ時間と、上記撮影手段の初期化時間と、上記グリッドの移動初期化時間とに基づいて、上記照射手段に対する放射線の照射タイミングを制御する制御ステップと、
を有することを特徴とする撮影制御方法。
【請求項１３】  上記制御ステップにおいて、上記制御手段は、上記照射手段の照射ディレイ時間と、上記撮影手段の初期化時間と、上記グリッドの移動初期化時間との何れか長い時間を、ユーザの撮影要求を認識してから上記照射手段によって放射線の照射を実行するまでのディレイ時間とすることを特徴とする請求項１２記載の撮影制御方法。
【請求項１４】  制御手段が、上記グリッドの移動初期化時間を、上記照射手段での照射時間に対応させて変更する変更ステップを更に含み、
上記グリッドの移動初期化時間を取得するステップにおいて、上記制御手段は、上記変更ステップで変更されたグリッドの移動初期化時間を取得することを特徴とする請求項１０又は１２記載の撮影制御方法。
【請求項１５】  照射手段により被写体に照射された放射線の撮影を制御するコンピュータを、
上記照射手段の照射ディレイ時間および上記照射手段により被写体に照射された放射線を撮影する撮影手段の初期化時間に基づいて、上記照射手段に対する放射線の照射タイミングを制御する制御手段として機能させることを特徴とするプログラムを記憶したコンピュータ読み取り可能な記憶媒体。
【請求項１６】  照射手段により被写体に照射された放射線の撮影を制御するコンピュータを、
上記照射手段の照射ディレイ時間および上記照射手段により被写体に照射された放射線を撮影する撮影手段が有するグリッドの移動初期化時間に基づいて、上記照射手段に対する放射線の照射タイミングを制御する制御手段として機能させることを特徴とするプログラムを記憶したコンピュータ読み取り可能な記憶媒体。
【請求項１７】  照射手段により被写体に照射された放射線の撮影を制御するコンピュータを、
上記照射手段の照射ディレイ時間と、上記照射手段により被写体に照射された放射線を撮影する撮影手段の初期化時間と、上記撮影手段が有するグリッドの移動初期化時間とに基づいて、上記照射手段に対する放射線の照射タイミングを制御する制御手段として機能させることを特徴とするプログラムを記憶したコンピュータ読み取り可能な記憶媒体。
【手続補正２】
【補正対象書類名】明細書
【補正対象項目名】００２３
【補正方法】変更
【補正の内容】
【００２３】
また、本発明は、照射手段により被写体に照射された放射線の撮影を制御する撮影制御装置の撮影制御方法であって、制御手段が、上記照射手段の照射ディレイ時間を取得するステップと、制御手段が、上記照射手段により被写体に照射された放射線を撮影する撮影手段の初期化時間を取得するステップと、制御手段が、上記照射ディレイ時間と、上記撮影手段の初期化時間とに基づいて、上記照射手段に対する放射線の照射タイミングを制御する制御ステップと、を含むことを特徴とする。
【手続補正３】
【補正対象書類名】明細書
【補正対象項目名】００２４
【補正方法】変更
【補正の内容】
【００２４】
また、本発明は、照射手段により被写体に照射された放射線の撮影を制御する撮影制御装置の撮影制御方法であって、制御手段が、上記照射手段の照射ディレイ時間を取得するステップと、制御手段が、上記照射手段により被写体に照射された放射線を撮影する撮影手段が有するグリッドの移動初期化時間を取得するステップと、制御手段が、上記照射ディレイ時間と、上記グリッドの移動初期化時間とに基づいて、上記照射手段に対する放射線の照射タイミングを制御する制御ステップと、を含むことを特徴とする。
【手続補正４】
【補正対象書類名】明細書
【補正対象項目名】００２５
【補正方法】変更
【補正の内容】
【００２５】
また、本発明は、照射手段により被写体に照射された放射線の撮影を制御する撮影制御装置の撮影制御方法であって、制御手段が、上記照射手段の照射ディレイ時間を取得するステップと、制御手段が、上記照射手段により被写体に照射された放射線を撮影する撮影手段の初期化時間を取得するステップと、制御手段が、上記撮影手段が有するグリッドの移動初期化時間を取得するステップと、制御手段が、上記照射ディレイ時間と、上記撮影手段の初期化時間と、上記グリッドの移動初期化時間とに基づいて、上記照射手段に対する放射線の照射タイミングを制御する制御ステップと、を有することを特徴とする。
【手続補正５】
【補正対象書類名】明細書
【補正対象項目名】００２６
【補正方法】変更
【補正の内容】
【００２６】
また、本発明は、照射手段により被写体に照射された放射線の撮影を制御するコンピュータを、上記照射手段の照射ディレイ時間および上記照射手段により被写体に照射された放射線を撮影する撮影手段の初期化時間に基づいて、上記照射手段に対する放射線の照射タイミングを制御する制御手段として機能させることを特徴とするプログラムを記憶したコンピュータ読み取り可能な記憶媒体である。
【手続補正６】
【補正対象書類名】明細書
【補正対象項目名】００２７
【補正方法】変更
【補正の内容】
【００２７】
また、本発明は、照射手段により被写体に照射された放射線の撮影を制御するコンピュータを、上記照射手段の照射ディレイ時間および上記照射手段により被写体に照射された放射線を撮影する撮影手段が有するグリッドの移動初期化時間に基づいて、上記照射手段に対する放射線の照射タイミングを制御する制御手段として機能させることを特徴とするプログラムを記憶したコンピュータ読み取り可能な記憶媒体である。
【手続補正７】
【補正対象書類名】明細書
【補正対象項目名】００２８
【補正方法】変更
【補正の内容】
【００２８】
また、本発明は、照射手段により被写体に照射された放射線の撮影を制御するコンピュータを、上記照射手段の照射ディレイ時間と、上記照射手段により被写体に照射された放射線を撮影する撮影手段の初期化時間と、上記撮影手段が有するグリッドの移動初期化時間とに基づいて、上記照射手段に対する放射線の照射タイミングを制御する制御手段として機能させることを特徴とするプログラムを記憶したコンピュータ読み取り可能な記憶媒体である。
【手続補正８】
【補正対象書類名】明細書
【補正対象項目名】０１０８
【補正方法】変更
【補正の内容】
【０１０８】
尚、本発明の目的は、第１及び第２の実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。この場合、記憶媒体から読み出されたプログラムコード自体が第１及び第２の実施の形態の機能を実現することとなり、そのプログラムコードを記憶した記憶媒体は本発明を構成することとなる。プログラムコードを供給するための記憶媒体としては、ＲＯＭ、フロッピー（登録商標）ディスク、ハードディスク、光ディスク、光磁気ディスク、ＣＤ−ＲＯＭ、ＣＤ−Ｒ、磁気テープ、不揮発性のメモリカード等を用いることができる。また、コンピュータが読みだしたプログラムコードを実行することにより、第１及び第２の実施の形態の機能が実現されるだけでなく、そのプログラムコードの指示に基づき、コンピュータ上で稼動しているＯＳ等が実際の処理の一部又は全部を行い、その処理によって第１及び第２の実施の形態の機能が実現される場合も含まれることは言うまでもない。さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって第１及び第２の実施の形態の機能が実現される場合も含まれることは言うまでもない。
以上説明したように上述した実施の形態では、撮影手段（二次元固体撮像素子等）の初期化時間と、照射手段（放射線発生手段等）の照射ディレイ時間（照射実行の指示、すなわち照射許可がなされてから実際に照射が行われるまでのディレイ時間）とから、照射手段に対して照射許可するタイミングを決定するように構成したので、 撮影要求に対する撮影動作制御と、撮像素子の初期化とを平行に行うことができる。これにより、撮影要求から実照射までの時間遅延を短縮することができる。
また、撮影手段の初期化時間と、グリッドの移動初期化時間（適切な目標位置に移動するまでのディレイ時間）とから、或いは撮影手段の初期化時間と、照射手段の照射ディレイ時間と、グリッドの移動初期化時間とから、照射手段に対して照射許可するタイミングを決定するように構成したので、撮影要求に対する撮影動作制御と、撮像素子又は／及びグリッド移動の初期化とを平行に行うことができる。これにより、撮影要求から実照射までの時間遅延を短縮することができる。また、撮影に使用する照射手段に応じた照射ディレイ時間を考慮して、グリッドの位置や速度等のグリッド移動を制御することができるため、グリッド縞写り込みのない良好な撮影画像を得ることができる。
よって、上述した実施の形態によれば、所望する撮影タイミングの良好な撮影画像を提供できる。例えば、上述した実施の形態を放射線撮影に適用すれば、グリッド縞写り込みのない良好な放射線画像を提供できるため、画像診断における誤診断等を確実に防ぐことができる。